【事件の表示】
　上記当事者間の特許第２１２４４６９号発明「苗自動移植方法及び苗自動移植機」の特許無効審判事件について、次のとおり審決する。
【結　論】
　訂正を認める。
　特許第２１２４４６９号の請求項１ないし９に係る発明についての特許を無効とする。
　審判費用は、被請求人の負担とする。
【理　由】
１．手続の経緯
　本件特許第２１２４４６９号の請求項１ないし９に係る発明についての出願は、平成１年４月１３日に特許出願され、平成８年１２月２０日にその発明について特許権の設定登録がなされた後、その特許について、平成１５年６月３日に本件無効審判が請求され、被請求人から答弁書と共に訂正請求書が提出され（後に取り下げ）、請求人から弁駁書が提出され、平成１６年６月１６日付けで無効理由を通知したところ、指定期間内である平成１６年８月１２日に審判事件意見書と訂正請求書が提出され、これに対し請求人から回答書が提出されたものである。
　
２．請求人の主張等
（１）請求人の主張
　請求人は、下記の証拠方法を提示し、本件特許第２１２４４６９号の請求項１ないし９に係る発明は、甲第１ないし３号証に記載された発明に基いて当業者が容易に発明をすることができたものであるから、本件特許の各発明の特許は、特許法２９条２項の規定に違反してされたものであり、特許法１２３条１項２号に該当し無効とすべきものである旨主張する。
　　　　　　　　　　　　　　　　記
　甲第１号証：特公昭５３−１３５２９号公報
　甲第２号証：特開昭５７−１５５９０６号公報
　甲第３号証：特開昭６１−１９１０００号公報
　参考資料１：実公昭５３−２３６４５号公報
（２）無効理由通知の概要
　本件の請求項１ないし９に係る発明は、特開昭４７−３８４２５号公報、特開昭５７−１５５９０６号公報及び特開昭６１−１９１０００号公報に記載された発明に基づいて当業者が容易に発明をすることができたものと認められるから、その特許は特許法第２９条第２項の規定に違反してされたものである。
　
３．被請求人の主張
（１）「第１に、移植用苗の仕分けについてみると、本件請求項１〜４の各発明においては、左右交互に軸回動自在な振分け部体により順次左右交互に連続的に振り分けるのに対し、引用刊行物１の発明においては、ガイド１１中を左右に交互に走行する移送爪１３により左右に間欠的に移送するものであって、両者は、移植用苗の仕分け方法を全く異にする。
　第２に、移植用苗の二つの苗植付装置への供給についてみると、本件請求項１〜４の各発明においては、振り分けられた移植用苗を二つの苗植付装置の各々の重合した一対のゴム製回転円板間に、該二つの苗植付装置において同時的に連続供給するのに対し、引用刊行物１の発明においては、上記移送により、左右のポケットホイール６，６のポケット５上に交互に間欠供給するものであって、両者は、移植用苗の二つの苗植付装置への供給の方法についても全く異なる。」（平成１６年８月１２日付け審判事件意見書３頁１３〜２４行）
（２）「引用刊行物２の発明は、育苗容器で育苗した苗を移植機で移植するに当たり、光電スイッチＡによって、葉部を有する良苗であるか葉部を有しない不良苗であるかを判別し、不良苗のみを苗選別ガイド６８により系外に排除し、良苗については全て苗供給コンベアー上に集め苗植付機構に供給するもので、その良苗をさらに仕分けするというようなことがない。すなわち、上記苗選別ガイド６８は、本件請求項１〜４の各発明の上記振分け部体とは相違し、移植用苗を順次左右交互に連続的に振り分けるようなことはしない。」（同審判事件意見書３頁２５行〜４頁３行）
　
４．訂正請求について
４-1．訂正の内容
　被請求人が求めている訂正の内容は、次のとおりである（下線部分が訂正個所である）。
（１）訂正事項ａ
　特許明細書の特許請求の範囲に記載された「１　移植用苗を苗受入装置から苗植付装置に供給し、本圃に所定の間隔で連続的に植え付けていく苗自動移植方法であって、一つの苗受入装置に受入させた移植用苗を、運搬中に検知手段で検知して振分け部体を制御し、その振分け部体により二つの苗植付装置に振り分けて供給し、各苗植付装置に対応するそれぞれの畝溝に植え付けることを特徴とする苗自動移植方法。」を、
　「１．　移植用苗を苗受入装置から苗植付装置
の重合した一対のゴム製回転円板間
複数本の密接状態の移植用苗の後続のものから分離して所定の間隔で運搬する移植用苗を、その運搬中に検知手段で検知して、左右交互二軸回動自在な振分け部体の該軸回動を制御し、この振分け部体の左右交互の軸回動により、上記所定の間隔で運搬する移植用苗を順次左右交互に連続的に振り分け、その振り分けられた移植用苗を二つの苗植付装置の各々の重合した一対のゴム製回転円板間に、該二つの苗植付装置において同時的に連続
（２）訂正事項ｂ
　特許明細書の特許請求の範囲に記載された「２　移植用苗を苗受入装置から苗植付装置に供給し、本圃に所定の間隔で連続的に植え付けていく苗自動移植方法であって、一つの苗受入装置に受入させた移植用苗を、その苗受入装置から振分け部体に向かう運搬中に検知手段で検知して該振分け部体を制御し、その振分け部体により二つの苗植付装置に振り分けて供給し、各苗植付装置に対応するそれぞれの畝溝に植え付けることを特徴とする苗自動移植方法。」を、
　「２．　移植用苗を苗受入装置から苗植付装置の重合した一対
のゴム製回転円板間
複数本の密接状態の移植用苗の後続のものから分離して所定の間隔で運搬する
左右交互に軸回動自在な
、
の上記軸回動
この振分け部体の左右交互の軸回動により、上記所定の間隔で運搬する移植用苗を順次左右交互に連続的に振り分け、その振り分けられた移植用苗を二つの苗植付装置の各々の重合した一対のゴム製回転円板間に、該二つの苗植付装置において同時的に連続供給
（３）訂正事項ｃ
　特許明細書の特許請求の範囲に記載された「３　移植用苗を苗受入装置から苗転送装置を介して苗植付装置に供給し、本圃に所定の間隔で連続的に植え付けていく苗自動移植方法であって、一つの苗受入装置に受入させた移植用苗を、その苗転送装置で運搬中に検知手段で検知して振分け部体を制御し、その振分け部体により二つの苗植付装置に振り分けて供給し、各苗植付装置に対応するそれぞれの畝溝に植え付けることを特徴とする苗自動移植方法。」を、
　「３．　移植用苗を苗受入装置から苗転送装置を介して苗植付装置
の重合した一対のゴム製回転円板間
複数本の密接状態の移植用苗の後続のものから分離して所定の間隔で運搬する移植用苗を、一つの
、左右交互に軸回動自在な振分け部体の該軸回動を制御し、この振分け部体の左右交互の軸回動により、上記所定の間隔で運搬する移植用苗を順次左右交互に連続的に振り分け、その振り分けられた移植用苗を二つの苗植付装置の各々の重合した一対のゴム製回転円板間に、該二つの苗植付装置において同時的に連続
（４）訂正事項ｄ
　特許明細書の特許請求の範囲に記載された「４　移植用苗を苗受入装置から苗転送装置を介して苗植付装置に供給し、本圃に所定の間隔で連続的に植え付けていく苗自動移植方法であって、一つの苗受入装置に受入させた移植用苗を、一つの苗転送装置において振分け部体に向かう運搬中に検知手段で検知して振分け部体を制御し、その振分け部体により二つの苗植付装置に振り分けて供給し、各苗植付装置に対応するそれぞれの畝溝に植え付けることを特徴とする苗自動移植方法。」を、
　「４．　移植用苗を苗受入装置から苗転送装置を介して苗植付装置
の重合した一対のゴム製回転円板間
複数本の密接状態の移植用苗の後続のものから分離して所定の間隔で運搬する移植用苗を、一つの苗転送装置において左右交互に軸回動自在な
、該振分け部体の上記軸回動を制御し、この振分け部体の左右交互の軸回動により、上記所定の間隔で運搬する移植用苗を順次左右交互に連続的に振り分け、その振り分けられた移植用苗を二つの苗植付装置の各々の重合した一対のゴム製回転円板間に、該二つの苗植付装置において同時的に連続
（５）訂正事項ｅ
　特許明細書の特許請求の範囲に記載された「５　苗受入装置と苗植付装置とを具備した苗自動移植機であって、一つの苗受入装置に、二つの苗植付装置を対応設置するとともに、これら一つの苗受入装置と二つの苗植付装置との間に、前者が送出した移植用苗を後者に振り分け供給する振分け部体を設置し、かつ、運搬中の移植用苗を検知しかつその検知に基づき上記振分け部体を制御する検知手段を設けてなることを特徴とする苗自動移植機。」を、
　「５．　
重合した一対のゴム製回転円板を備えた苗植付装置苗と受入装置
すなわち上記一つの苗受入装置に受入させた複数本の密接状態の移植用苗の後続のものから分離して所定の間隔で送出した移植用苗を、左右交互に連続的に振り分け、後者すなわち上記二つの苗植付装置の各々の重合した一対
供給する左右交互に軸回動自在な
上記
の左右交互の軸回動
（６）訂正事項ｆ
　特許明細書の特許請求の範囲に記載された「６　苗受入装置、苗転送装置及び苗植付装置を具備した苗自動移植機であって、一つの苗受入装置に、二つの苗植付装置を対応設置するとともに、これら一つの苗受入装置と二つの苗植付装置との間に、前者が送出した移植用苗を後者に振り分け供給する振分け部体を内装した一つの苗転送装置を設置し、かつ、運搬中の移植用苗を検知しかつその検知に基づき上記振分け部体を制御する検知手段を設けてなることを特徴とする苗自動移植機。」を、
　「６．　
重合した一対のゴム製回転円板を備えた苗植付装置と苗受入装置及び苗転送装置
すなわち上記一つの苗受入装置に受入させた複数本の密接状態の移植用苗の後続のものから分離して所定の間隔で送出した移植用苗を、左右交互に連続的に振り分け、後者すなわち上記二つの苗植付装置の各々の重合した一対のゴム製回転円板間に向けて、該二つの苗植付装置において同時的に連続供給する左右交互に軸回動自在な
の左右交互の軸回動
（７）訂正事項ｇ
　特許明細書の特許請求の範囲に記載された「７　苗受入装置、苗転送装置及び苗植付装置を具備した苗自動移植機であって、一つの苗受入装置に、二つの苗植付装置を対応設置するとともに、これら一つの苗受入装置と二つの苗植付装置との間に、上記苗受入装置から送出された移植用苗を振り分ける振分け部体を有する振分け転送機構部、その振り分けられた移植用苗を分岐誘導する二つの分岐転送機構部、及びその分岐誘導された移植用苗を上記二つの苗植付装置に各別に供給する二つの供給転送機構部とからなる一つの苗転送装置を設置し、かつ、運搬中の移植用苗を検知しかつその検知に基づき上記振分け部体を制御する検知手段を設けてなることを特徴とする苗自動移植機。」を、
　「７．　
重合した一対のゴム製回転円板を備えた苗植付装置と
及び
一つの苗受入装置に受入させた複数本の密接状態の移植用苗の後続のものから分離して所定の間隔で運搬する移植用苗を、左右交互の軸回動により左右交互に連続的に
の各々の重合した一対のゴム製回転円板間に向けて、該二つの苗植付装置において同時的に連続供給
の左右交互の軸回動
（８）訂正事項ｈ
　特許明細書の特許請求の範囲に記載された「８　苗受入装置から振分け部体に向かつて運搬中の移植用苗を検知しかつその検知に基づき上記振分け部体を制御する検知手段を備えてなることを特徴とする請求項５，６または７記載の苗自動移植機。」を、
　「８．　苗受入装置から
左右交互の軸回動自在な
（９）訂正事項ｉ
　特許明細書の特許請求の範囲に記載された「９　苗転送装置の移植用苗運搬路が、ベルトを対向させてなる苗挟持運搬路であることを特徴とする請求項６，７または８記載の苗自動移植機。」を、
　「９．　苗転送装置の移植用苗運搬路が、
突起付きの
（１０）訂正事項ｊ
　特許明細書の５頁１６行〜８頁１６行（公告公報４欄１４行〜５欄２９行）の記載を、
　「
（１）特許請求の範囲１．に記載の本発明苗自動移植方法は、移植用苗Ｐを苗受入装置Ｂから苗植付装置Ａ
１
，Ａ
２
の重合した一対のゴム製回転円板間に供給し、本圃に所定の間隔で連続的に植え付けていく苗自動移植方法であって、一つの苗受入装置Ｂに受入させた複数本の密接状態の移植用苗Ｐの後続のものから分離して所定の間隔で運搬する移植用苗Ｐを、その運搬中に検知手段Ｄ〜Ｄ″で検知して、左右交互に軸回動自在な振分け部体Ｅ〜Ｅ″の該軸回動を制御し、この振分け部体Ｅ〜Ｅ″の左右交互の軸回動により、上記所定の間隔で運搬する移植用苗Ｐを順次左右交互に連続的に振り分け、その振り分けられた移植用苗Ｐを二つの苗植付装置Ａ
１
，Ａ
２
の各々の重合した一対のゴム製回転円板間に、該二つの苗植付装置Ａ
１
，Ａ
２
において同時的に連続供給し、各苗植付装置Ａ
１
，Ａ
２
に対応するそれぞれの畝溝に植え付けるものである。
（２）特許請求の範囲２．に記載の本発明苗自動移植方法は、移植用苗Ｐを苗受入装置Ｂから苗植付装置Ａ
１
，Ａ
２
の重合した一対のゴム製回転円板間に供給し、本圃に所定の間隔で連続的に植え付けていく苗自動移植方法であって、一つの苗受入装置Ｂに受入させた複数本の密接状態の移植用苗Ｐの後続のものから分離して所定の間隔で運搬する移植用苗Ｐを、その苗受入装置Ｂから左右交互に軸回動自在な振分け部体Ｅ〜Ｅ″に向かう運搬中に検知手段Ｄ〜Ｄ″で検知して、該振分け部体Ｅ〜Ｅ″の上記軸回動を制御し、この振分け部体Ｅ〜Ｅ″の左右交互の軸回動により、上記所定の間隔で運搬する移植用苗Ｐを順次左右交互に連続的に振り分け、その振り分けられた移植用苗Ｐを二つの苗植付装置Ａ
１
，Ａ
２
の各々の重合した一対のゴム製回転円板間に、該二つの苗植付装置Ａ
１
，Ａ
２
において同時的に連続供給し、各苗植付装置Ａ
１
，Ａ
２
に対応するそれぞれの畝溝に植え付けるものである。
（３）特許請求の範囲３．に記載の本発明苗自動移植方法は、移植用苗Ｐを苗受入装置Ｂから苗転送装置Ｃを介して苗植付装置Ａ
１
，Ａ
２
の重合した一対のゴム製回転円板間に供給し、本圃に所定の間隔で連続的に植え付けていく苗自動移植方法であって、一つの苗受入装置Ｂに受入させた複数本の密接状態の移植用苗Ｐの後続のものから分離して所定の間隔で運搬する移植用苗Ｐを、一つの苗転送装置Ｃで運搬中に検知手段Ｄ〜Ｄ″で検知して、左右交互に軸回動自在な振分け部体Ｅ〜Ｅ″の該軸回動を制御し、この振分け部体Ｅ〜Ｅ″の左右交互の軸回動により、上記所定の間隔で運搬する移植用苗Ｐを順次左右交互に連続的に振り分け、その振り分けられた移植用苗Ｐを二つの苗植付装置Ａ
１
，Ａ
２
の各々の重合した一対のゴム製回転円板間に、該二つの苗植付装置Ａ
１
，Ａ
２
において同時的に連続供給し、各苗植付装置Ａ
１
，Ａ
２
に対応するそれぞれの畝溝に植え付けるものである。
（４）特許請求の範囲４．に記載の本発明苗自動移植方法は、移植用苗Ｐを苗受入装置Ｂから苗転送装置Ｃを介して苗植付装置Ａ
１
，Ａ
２
の重合した一対のゴム製回転円板間に供給し、本圃に所定の間隔で連続的に植え付けていく苗自動移植方法であって、一つの苗受入装置Ｂに受入させた複数本の密接状態の移植用苗Ｐの後続のものから分離して所定の間隔で運搬する移植用苗Ｐを、一つの苗転送装置Ｃにおいて左右交互に軸回動自在な振分け部体Ｅ〜Ｅ″に向かう運搬中に検知手段Ｄ〜Ｄ″で検知して、該振分け部体Ｅ〜Ｅ″の上記軸回動を制御し、この振分け部体Ｅ〜Ｅ″の左右交互の軸回動により、上記所定の間隔で運搬する移植用苗Ｐを順次左右交互に連続的に振り分け、その振り分けられた移植用苗Ｐを二つの苗植付装置Ａ
１
，Ａ
２
の各々の重合した一対のゴム製回転円板間に、該二つの苗植付装置Ａ
１
，Ａ
２
において同時的に連続供給し、各苗植付装置Ａ
１
，Ａ
２
に対応するそれぞれの畝溝に植え付けものである。
（５）特許請求の範囲５．に記載の本発明苗自動移植機は、重合した一対のゴム製回転円板を備えた苗植付装置Ａ
１
，Ａ
２
と苗受入装置Ｂとを具備した苗自動移植機であって、一つの苗受入装置Ｂに二つの苗植付装置Ａ
１
，Ａ
２
を対応設置するとともに、これら一つの苗受入装置Ｂと二つの苗植付装置Ａ
１
，Ａ
２
との間に、前者すなわち上記一つの苗受入装置Ｂに受入させた複数本の密接状態の移植用苗Ｐの後続のものから分離して所定の間隔で送出した移植用苗Ｐを、左右交互に連続的に振り分け、後者すなわち上記二つの苗植付装置Ａ
１
，Ａ
２
の各々の重合した一対のゴム製回転円板間に向けて、該二つの苗植付装置Ａ
１
，Ａ
２
において同時的に連続供給する左右交互の軸回動自在な振分け部体Ｅ〜Ｅ″を設置し、かつ、上記運搬中の移植用苗Ｐを検知しかつその検知に基づき上記振分け部体Ｅ〜Ｅ″の左右交互に軸回動を制御する検知手段Ｄ〜Ｄ″を設けてなる。
（６）特許請求の範囲６．に記載の本発明苗自動移植機は、重合した一対のゴム製回転円板を備えた苗植付装置Ａ
１
，Ａ
２
と苗受入装置Ｂ及び苗転送装置Ｃを具備した苗自動移植機であって、一つの苗受入装置Ｂに、二つの苗植付装置Ａ
１
，Ａ
２
を対応設置するとともに、これら一つの苗受入装置Ｂと二つの苗植付装置Ａ
１
，Ａ
２
との間に、前者すなわち上記一つの苗受入装置Ｂに受入させた複数本の密接状態の移植用苗Ｐの後続のものから分離して所の間隔で送出した移植用苗Ｐを、左右交互に連続的に振り分け、後者すなわち上記二つの苗植付装置Ａ
１
，Ａ
２
の各々の重合した一対のゴム製回転円板間に向けて、該二つの苗植付装置Ａ
１
，Ａ
２
において同時的に連続供給する左右交互に軸回動自在な振分け部体Ｅ〜Ｅ″を内装した一つの苗転送装置Ｃを設置し、かつ、運搬中の移植用苗Ｐを検知しかつその検知に基づき上記振分け部体Ｅ〜Ｅ″の左右交互の軸回動を制御する検知手段Ｄ〜Ｄ″を設けてなる。
（７）特許請求の範囲７．に記載の本発明苗自動移植機は、重合した一対のゴム製回転円板を備えた苗植付装置苗Ａ
１
，Ａ
２
と苗受入装置Ｂ及び苗転送装置Ｃを具備した苗自動移植機であって、一つの苗受入装置Ｂに、二つの苗植付装置Ａ
１
，Ａ
２
を対応設置するとともに、これら一つの苗受入装置Ｂと二つの苗植付装置Ａ１，Ａ２との間に、上記一つの苗受入装置Ｂに受入させた複数本の密接状態の移植用苗Ｐの後続のものから分離して所定の間隔で運搬する移植用苗Ｐを、左右交互の軸回動により左右交互に連続的に振り分ける振分け部体Ｅ〜Ｅ″を有する振分け転送機構部ａ、その振り分けられた移植用苗Ｐを分岐誘導する二つの分岐転送機構部ｂ，ｂ′、及びその分岐誘導された移植用苗Ｐを上記二つの苗植付装置Ａ
１
，Ａ
２
の各々の重合した一対のゴム製回転円板間に向けて、該二つの苗植付装置Ａ
１
，Ａ
２
において同時的に連続供給する二つの供給転送機構部ｃ，ｃ′とからなる一つの苗転送装置Ｃを設置し、かつ、運搬中の移植用苗Ｐを検知しかつその検知に基づき上記振分け部体Ｅ〜Ｅ″の左右交互の軸回動を制御する検知手段Ｄ〜Ｄ″を設けてなる。
（８）特許請求の範囲８．に記載の本発明は、苗受入装置Ｂから左右交互の軸回動自在な振分け部体Ｅ〜Ｅ″に向かって運搬中の移植用苗Ｐを検知しかつその検知に基づき上記振分け部体Ｅ〜Ｅ″の左右交互の軸回動を制御する検知手段Ｄ〜Ｄ″を備えてなる請求項５，６または７記載の苗自動移植機である。
（９）特許請求の範囲９．に記載の本発明は、苗転送装置Ｃの移植用苗運搬路が、突起付きのベルト２０〜２５を対向させてなる苗挟持運搬路であることを特徴とする請求項６，７または８記載の苗自動移植機である。　なお、上記検知手段Ｄ〜Ｄ″による振分け手段Ｅ〜Ｅ″の制御は、電磁クラッチ４６，４６′、モータ１０３、ソレノイド１０９等適宜のものを介して行うものである。
　
４-2．訂正の適否
（１）上記訂正事項ａないしｄについて
　上記訂正事項ａないしｄは特許請求の範囲の減縮を目的とするものである。
　そして、上記訂正事項ａないしｄにおける「苗植付装置の重合した一対のゴム製回転円板間に供給し」については、特許明細書に、「左右の苗植付装置で、例えば、重合した一対のゴム製回転円板の上周において、その開口部に受け取つた移植用苗を回転にともない閉成挟持して運搬し」（本件公告公報３頁右欄２〜５行）と記載されており、
　また、「一つの苗受入装置に受入させた複数本の密接状態の移植用苗の後続のものから分離して所定の間隔で運搬する移植用苗を、その運搬中に検知手段で検知して、左右交互二軸回動自在な振分け部体の該軸回動を制御し、この振分け部体の左右交互の軸回動により、上記所定の間隔で運搬する移植用苗を順次左右交互に連続的に振り分け、」については、特許明細書に、「上記振分け転送機構部ａは、上段左ベルト２０のローラ２６，２７間の垂直走行部分と上段右ベルト２１のローラ２９，３０間の垂直走行部分とで、苗受入装置Ｂが密接状態のまま運搬し送出端から突出させた移植用苗Ｐを、後続のものから分離し、かつ所定の間隔で下方に向けて運搬する苗挟持中央垂直運搬路と、該運搬路中の移植用苗Ｐを検知する検知手段Ｄと、該運搬路の下方空処に装架した振分け部体Ｅとからなり、検知手段Ｄによる移植用苗Ｐの検知に基づき振分け部体Ｅが交互に左あるいは右に回動すべく制御され、該振分け部体Ｅに到達した移植用苗Ｐを左右に振り分けるものである。」（本件公告公報４頁左欄２６〜３８行）と記載されており、
　さらに、「その振り分けられた移植用苗を二つの苗植付装置の各々の重合した一対のゴム製回転円板間に、該二つの苗植付装置において同時的に連続供給し」については、特許明細書に、「Ａ１，Ａ２は互いに隣り合う２本の畝溝に移植用苗を植え付ける左右の苗植付装置で、例えば、重合した一対のゴム製回転円板の上周において、その開口部に受け取つた移植用苗を回転にともない閉成挟持して運搬し、それを下周で畝溝に放出する構成のもので、本移植機の駆動輪（図示していない）に連動して回転する公知の型のものである。」（本件公告公報３頁右欄１〜８行）と記載されている。
　したがって、上記訂正事項ａないしｄによる訂正は、願書に添付した明細書又は図面に記載した事項の範囲内においてするものであり、かつ、実質上特許請求の範囲を拡張し、又は変更するものではない。
（２）上記訂正事項ｅないしｇについて
　上記訂正事項ｅないしｇは特許請求の範囲の減縮を目的とするものである。
　そして、上記訂正事項ｅないしｇにおける「重合した一対のゴム製回転円板を備えた苗植付装置苗」については、特許明細書に、「左右の苗植付装置で、例えば、重合した一対のゴム製回転円板の上周において、その開口部に受け取つた移植用苗を回転にともない閉成挟持して運搬し」（本件公告公報３頁右欄２〜５行）と記載されており、
　また、「一つの苗受入装置に受入させた複数本の密接状態の移植用苗の後続のものから分離して所定の間隔で送出した移植用苗を、左右交互に連続的に振り分け」については、特許明細書に、「上記振分け転送機構部ａは、上段左ベルト２０のローラ２６，２７間の垂直走行部分と上段右ベルト２１のローラ２９，３０間の垂直走行部分とで、苗受入装置Ｂが密接状態のまま運搬し送出端から突出させた移植用苗Ｐを、後続のものから分離し、かつ所定の間隔で下方に向けて運搬する苗挟持中央垂直運搬路と、該運搬路中の移植用苗Ｐを検知する検知手段Ｄと、該運搬路の下方空処に装架した振分け部体Ｅとからなり、検知手段Ｄによる移植用苗Ｐの検知に基づき振分け部体Ｅが交互に左あるいは右に回動すべく制御され、該振分け部体Ｅに到達した移植用苗Ｐを左右に振り分けるものである。」（本件公告公報４頁左欄２６〜３８行）と記載されており、
　さらに、「二つの苗植付装置の各々の重合した一対のゴム製回転円板間に向けて、該二つの苗植付装置において同時的に連続供給する左右交互に軸回動自在な振分け部体を設置し、かつ、上記運搬中の移植用苗を検知しかつその検知に基づき上記振分け部体の左右交互の軸回動を制御する検知手段を設けてなる」については、特許明細書に、「所定の間隔で下方に向けて運搬する苗挟持中央垂直運搬路と、該運搬路中の移植用苗Ｐを検知する検知手段Ｄと、該運搬路の下方空処に装架した振分け部体Ｅとからなり、検知手段Ｄによる移植用苗Ｐの検知に基づき振分け部体Ｅが交互に左あるいは右に回動すべく制御され、該振分け部体Ｅに到達した移植用苗Ｐを左右に振り分けるものである。」（本件公告公報４頁左欄３１〜３８行）、「左右の苗植付装置で、例えば、重合した一対のゴム製回転円板の上周において、その開口部に受け取つた移植用苗を回転にともない閉成挟持して運搬し、それを下周で畝溝に放出する」（本件公告公報３頁右欄２〜６行）と記載されている。
　したがって、上記訂正事項ｅないしｇによる訂正は、願書に添付した明細書又は図面に記載した事項の範囲内においてするものであり、かつ、実質上特許請求の範囲を拡張し、又は変更するものではない。
（３）訂正事項ｈについて
　上記訂正事項ｈは、特許請求の範囲の記載において、「振分け部体」が「左右交互の軸回動自在な」ものに限定するものであるから、特許請求の範囲の減縮を目的とするものであり、願書に添付した明細書又は図面に記載した事項の範囲内においてするものであり、かつ、実質上特許請求の範囲を拡張し、又は変更するものではない。
（４）訂正事項ｉについて
　上記訂正事項ｉは、特許請求の範囲の記載において、「ベルト」が「突起付きの」ものに限定するから、特許請求の範囲の減縮を目的とするものである。また、「突起付きのベルト」については、特許明細書に、「上記各ベルトは突起付きのゴム製ベルトである。」（本件公告公報３頁右欄４２〜４３行）と記載されているから、訂正事項ｉによる訂正は、願書に添付した明細書又は図面に記載した事項の範囲内においてするものであり、かつ、実質上特許請求の範囲を拡張し、又は変更するものではない。
（５）上記訂正事項ｊについて
　上記訂正事項ｊは、特許請求の範囲の記載と発明の詳細な説明の記載を整合させるための訂正であるから、明りょうでない記載の釈明を目的とするものであり、願書に添付した明細書又は図面に記載した事項の範囲内においてするものであり、かつ、実質上特許請求の範囲を拡張し、又は変更するものではない。
　
４-3．むすび
　以上のとおりであるから、上記訂正は、平成６年改正前特許法第１３４条第２項ただし書に適合し、平成１５年改正前特許法第１３４条第５項において準用する平成６年改正前第１２６条第２項の規定に適合するので、当該訂正を認める。
　
５．無効理由について
５-1．本件特許発明
　上記「４．訂正請求について」に示したように上記訂正が認められるから、本件の請求項１ないし９に係る発明（以下、「請求項１の発明」・・・「請求項９の発明」という。）は、平成１６年８月１２日付けの訂正請求書に添付した訂正明細書における特許請求の範囲の請求項１ないし９に記載からみて次のとおりのものであると認める。
　「１．移植用苗を苗受入装置から苗植付装置の重合した一対のゴム製回転円板間に供給し、本圃に所定の間隔で連続的に植え付けていく苗自動移植方法であって、一つの苗受入装置に受入させた複数本の密接状態の移植用苗の後続のものから分離して所定の間隔で運搬する移植用苗を、その運搬中に検知手段で検知して、左右交互に軸回動自在な振分け部体の該軸回動を制御し、この振分け部体の左右交互の軸回動により、上記所定の間隔で運搬する移植用苗を順次左右交互に連続的に振り分け、その振り分けられた移植用苗を二つの苗植付装置の各々の重合した一対のゴム製回転円板間に、該二つの苗植付装置において同時的に連続供給し、各苗植付装置に対応するそれぞれの畝溝に植え付けることを特徴とする苗自動移植方法。
　２．移植用苗を苗受入装置から苗植付装置の重合した一対のゴム製回転円板間に供給し、本圃に所定の間隔で連続的に植え付けていく苗自動移植方法であって、一つの苗受入装置に受入させた複数本の密接状態の移植用苗の後続のものから分離して所定の間隔で運搬する移植用苗を、その苗受入装置から左右交互に軸回動自在な振分け部体に向かう運搬中に検知手段で検知して、該振分け部体の上記軸回動を制御し、この振分け部体の左右交互の軸回動により、上記所定の間隔で運搬する移植用苗を順次左右交互に連続的に振り分け、その振り分けられた移植用苗を二つの苗植付装置の各々の重合した一対のゴム製回転円板間に、該二つの苗植付装置において同時的に連続供給し、各苗植付装置に対応するそれぞれの畝溝に植え付けることを特徴とする苗自動移植方法。
　３．移植用苗を苗受入装置から苗転送装置を介して苗植付装置の重合した一対のゴム製回転円板間に供給し、本圃に所定の間隔で連続的に植え付けていく苗自動移植方法であって、一つの苗受入装置に受入させた複数本の密接状態の移植用苗の後続のものから分離して所定の間隔で運搬する移植用苗を、一つの苗転送装置で運搬中に検知手段で検知して、左右交互に軸回動自在な振分け部体の該軸回動を制御し、この振分け部体の左右交互の軸回動により、上記所定の間隔で運搬する移植用苗を順次左右交互に連続的に振り分け、その振り分けられた移植用苗を二つの苗植付装置の各々の重合した一対のゴム製回転円板間に、該二つの苗植付装置において同時的に連続供給し、各苗植付装置に対応するそれぞれの畝溝に植え付けることを特徴とする苗自動移植方法。
　４．移植用苗を苗受入装置から苗転送装置を介して苗植付装置の重合した一対のゴム製回転円板間に供給し、本圃に所定の間隔で連続的に植え付けていく苗自動移植方法であって、一つの苗受入装置に受入させた複数本の密接状態の移植用苗の後続のものから分離して所定の間隔で運搬する移植用苗を、一つの苗転送装置において左右交互に軸回動自在な振分け部体に向かう運搬中に検知手段で検知して、該振分け部体の上記軸回動を制御し、この振分け部体の左右交互の軸回動により、上記所定の間隔で運搬する移植用苗を順次左右交互に連続的に振り分け、その振り分けられた移植用苗を二つの苗植付装置の各々の重合した一対のゴム製回転円板間に、該二つの苗植付装置において同時的に連続供給し、各苗植付装置に対応するそれぞれの畝溝に植え付けることを特徴とする苗自動移植方法。
　５．重合した一対のゴム製回転円板を備えた苗植付装置と受入装置とを具備した苗自動移植機であって、一つの苗受入装置に二つの苗植付装置を対応設置するとともに、これら一つの苗受入装置と二つの苗植付装置との間に、前者すなわち上記一つの苗受入装置に受入させた複数本の密接状態の移植用苗の後続のものから分離して所定の間隔で送出した移植用苗を、左右交互に連続的に振り分け、後者すなわち上記二つの苗植付装置の各々の重合した一対のゴム製回転円板間に向けて、該二つの苗植付装置において同時的に連続供給する左右交互に軸回動自在な振分け部体を設置し、かつ、上記運搬中の移植用苗を検知しかつその検知に基づき上記振分け部体の左右交互の軸回動を制御する検知手段を設けてなることを特徴とする苗自動移植機。
　６．重合した一対のゴム製回転円板を備えた苗植付装置と苗受入装置及び苗転送装置を具備した苗自動移植機であって、一つの苗受入装置に、二つの苗植付装置を対応設置するとともに、これら一つの苗受入装置と二つの苗植付装置との間に、前者すなわち上記一つの苗受入装置に受入させた複数本の密接状態の移植用苗の後続のものから分離して所定の間隔で送出した移植用苗を、左右交互に連続的に振り分け、後者すなわち上記二つの苗植付装置の各々の重合した一対のゴム製回転円板間に向けて、該二つの苗植付装置において同時的に連続供給する左右交互に軸回動自在な振分け部体を内装した一つの苗転送装置を設置し、かつ、運搬中の移植用苗を検知しかつその検知に基づき上記振分け部体の左右交互の軸回動を制御する検知手段を設けてなることを特徴とする苗自動移植機。
　７．重合した一対のゴム製回転円板を備えた苗植付装置と苗受入装置及び苗転送装置を具備した苗自動移植機であって、一つの苗受入装置に、二つの苗植付装置を対応設置するとともに、これら一つの苗受入装置と二つの苗植付装置との間に、上記一つの苗受入装置に受入させた複数本の密接状態の移植用苗の後続のものから分離して所定の間隔で運搬する移植用苗を、左右交互の軸回動により左右交互に連続的に振り分ける振分け部体を有する振分け転送機構部、その振り分けられた移植用苗を分岐誘導する二つの分岐転送機構部、及びその分岐誘導された移植用苗を上記二つの苗植付装置の各々の重合した一対のゴム製回転円板間に向けて、該二つの苗植付装置において同時的に連続供給する二つの供給転送機構部とからなる一つの苗転送装置を設置し、かつ、運搬中の移植用苗を検知しかつその検知に基づき上記振分け部体の左右交互の軸回動を制御する検知手段を設けてなることを特徴とする苗自動移植機。
　８．苗受入装置から左右交互の軸回動自在な振分け部体に向かって運搬中の移植用苗を検知しかつその検知に基づき上記振分け部体の左右交互の軸回動を制御する検知手段を備えてなることを特徴とする請求項５，６または７記載の苗自動移植機。
　９．苗転送装置の移植用苗運搬路が、突起付きのベルトを対向させてなる苗挟持運搬路であることを特徴とする請求項６，７または８記載の苗自動移植機。」
　なお、請求項１の発明の「左右交互二軸回動自在な」は「左右交互に軸回動自在な」の明らかな誤記であり、また、請求項４の「重合した　一対の」、「植え付け　ていく」、「複数本の　密接状態」、「移植　用苗を」及び「振分け部体に　向かう」は、「重合した一対の」、「植え付けていく」、「複数本の密接状態」、「移植用苗を」及び「振分け部体に向かう」の明らかな誤記であり、さらに、請求項５の発明の「苗植付装置苗」は「苗植付装置」の明らかな誤記であるから、請求項１、４及び５の発明を上記のように認定した。
　
５-2．引用文献等記載の発明
（１）無効理由で引用した特開昭４７−３８４２５号公報（以下、「引用文献１」という。）には、次の事項が記載されている。
（１-a）「苗を回転に伴い挟持して溝中に植立するポケットホイールを左右に備え、それらの前後に夫々開溝器、閉溝器を設け全体が自走し又は牽引車或は被牽引車に連結されて進行する移植機に於て、左、右のポケットホイールの所定位置のポケットに渉り苗を移送するに適した上下間隙が保てる上下枠によるガイドを設け、その略中央部に開口部を設け此の開口部とポケットの間をガイド中に移送爪を有する移送体を設置して間欠的に左右交互に運動させる事を特徴とした苗移植機。」（特許請求の範囲）、
（１-b）「本発明は苗を回転に伴いポケット爪で挟持しポケットホイールの下端位置に相当して解放して順次挿苗して行く苗移植機に於ける左、右のポケットホイールの所定のポケットの位置に、苗を左右交互に自動的に移送、供給さす事を目的としたもので、」（１頁左下欄１５〜２０行）、
（１-c）「機体(１)の前部上に座席(２)を設け、機体(１)の中央部の左右には、夫々内側面の周囲に弾性によつて開閉自在となり且つ機体(１)に設けた固定ガイド(３)に沿うて閉合するポケット爪(４)によるポケット(５)を設けたポケットホイール(６)(６)を回転軸(７)で軸支し、該回転軸に伝動装置筺(８)中の一つの伝動軸より適宜の回転を与えるようにし、左右のポケットホイール(６)(６)に位置して左右の所定位置のポケットに渉り苗を移送するに適した間隙(９)が保てる調整可能な上、下枠(10)(10)′によるガイド(11)を設置し、その略中央部に開口部(12)を設け、此の開口部(12)と一側方のポケット(５)との間に於けるガイド(11)中に移送爪(13)を設けた移送体(14)を設置し之れを移動装置(15)例えばチエーン(15)′に連結し該移送体を時計方向と反時計方向に交互に間欠回転伝動する様にしたスプロケツト軸(16)とガイドスプロケツト(17)(17)′によつてチエーン(15)′を介し間欠的に左又は右に移送連動さすようにしたもので、上記ガイド(11)の形状は第５図の（Ａ）（Ｂ）に示す様な左右直線型或は凸弧状の何れでも可能である。又左右直線型のガイド(11)の場合はガイド中の移送体(14)を並行四辺形型リンク運動機構で連結し左、右往復運動させる事が容易である。」（１頁右下欄２行〜２頁左上欄４行）、
(１-d)「本発明は叙上の様な構成で、・・・座席(２)に搭乗した作業者の手から苗(ロ)をガイド(11)の開口部(12)に投入するか或は適宜の装置で順次所定速度で送り込むと、該苗は移送体(14)が・・・左、右に間欠的に移動させられているから、上記開口部(12)に投入された苗(ロ)は・・・移送爪(13)で開口部(12)とポケット(５)との間をガイド(11)を経て左又は右に交互に移送せられ、左、右のポケットホイール(６)(６)の開放状態にある夫々のポケット(５)上に順次交互に乗せられ、此の苗(ロ)は・・・ガイド部(３)の末端から解放されて溝(イ)中に植立され、・・・行くものである。」（２頁左上欄６行〜右上欄６行）、
（１-e）「移送体の左、右交互の間欠的な運動によって苗を左右に振り分け、適確に且つ円滑に左、右のポケットホイールに給送でき」（２頁右上欄１２〜１５行）。
　上記記載及び図面の記載によると、引用文献１には、
　座席(２)に搭乗した作業者の手から苗(ロ)をガイド(11)の開口部(12)に投入するか或は適宜の装置でガイド(11)の開口部(12)に順次所定速度で送り込んで左、右の苗移植機のポケットホイール(６)(６)に供給し、本圃に所定の間隔で連続的に植え付けていく苗自動移植方法であって、一つの開口部(12)に受入れさせた苗(ロ)を、左、右に間欠的に移動させられている、移送体(14)の移送爪(13)により左、右のポケットホイール(６)(６)のポケット(５)に振り分けて供給し、此の苗(ロ)をガイド部(３)の末端から解放して溝(イ)中に植立させる苗自動移植方法（以下、「引用文献１の発明１」と言う。）、及び、
　苗を回転に伴い挟持して溝中に植え付けるポケットホイール(６)(６)を左右に備え、それらの前後に夫々開溝器、閉溝器を設けた移植機において、
左、右のポケットホイール(６)(６)のポケット(５)に苗を移送するに適した上下間隙が保てる上下枠によるガイド(11)を設け、その略中央部に開口部(12)を設け、この開口部(12)とポケット(５)の間をガイド(11)中に移送爪(13)を設けた移送体(14)を設置して間欠的に左右交互に運動させ、一つの開口部(12)に受入れさせた苗(ロ)を左、右のポケットホイール(６)(６)のポケット(５)に振り分けて供給する苗移植機（以下、「引用文献１の発明２」と言う。）の発明が記載されていると認められる。
　
（２）無効理由で引用した特開昭５７−１５５９０６号公報（以下、「引用文献２」という。）には、次の事項が記載されている。
（２-a）「（１）苗を併列搬送するコンベアー、該コンベアーの末端に設けた苗分離ロール、該苗分離ロールの下方に設けた苗選別用コンベアー、苗選別用コンベアーの下方に設けた苗供給コンベアー、苗供給コンベアーより苗を受取る苗植付機構よりなり、苗選別コンベアーには苗の葉部検出用センサと苗選別具を設け、該センサと苗選別具を連結したことを特徴とする選別装置付移植機。・・・
（３）苗選別コンベアーが一対のベルトでありその下方に苗取出杆を配したことを特徴とする特許請求の範囲第１項の選別装置付移植機。
（４）苗取出杆がロータリーソレノイドで作動することを特徴とする特許請求の範囲第１項の選別装置付移植機。」（特許請求の範囲）、
（２-b）「苗供給機構１５は・・・苗Ｐを運ぶもので、作業者が・・・苗台１９より苗をとり、苗搬送コンベアー２０の上に苗を併列さす。該コンベアー２０・・・の回動端部には苗抑え輪２３及び苗分離ロール２４を設けてある。・・・苗抑え輪２３よりも苗分離ロール２４の周速を大きくしてあるので、苗Ｐは１本１本に分離され一定間隔をおいてコンベアー２０の端部より繰出されることになる。」（２頁左下欄２〜１８行）、
（２-c）「良い苗Ｐのみ苗ガイド４１に案内されて降下し、貯苗部４２に落下する。貯苗部４２は・・・苗供給コンベアー４８の一辺と副枠１６に固定された余剰苗受箱４４の側辺で構成せられた空間」（３頁左上欄１５〜１９行）、
（２-c）「第５図は本発明の別の例を示すもので、分離ロール２４により１本１本の苗に分離せられた苗Ｐは、互に対向し、一対をなす苗選別ベルト６０，６０′に供給する。選別ベルト６０，６０′はそれぞれ苗選別コンベアローラ６１，６２，６１′，６２′に掛けられており、コンベアローラ６２の軸６３にはスプロケツト６４を設けスプロケツト４７の軸４７′に固定した伝導スプロケツト４９との間にチエン５１を張設し連動駆動させ、コンベアローラ６２の軸６３に固定した歯車６４とコンベアローラ６２′の軸６３′に固定した歯車６４′を互に噛み合せ、互に内方向に回転さす。又、軸６３′には伝導スプロケツト６５を固定し、チエン６６を介して苗供給コンベアのプリーの軸２１に固定したスプロケツト６６との間にチエン６７を張設する。従つて、ベルト６０はスプロケツト６５，６６、歯車２７，２８を介して苗分離ロール２４、苗供給コンベアー２０と互に連動するが、ベルト６０の線速度は苗供給コンベアーの線速度より約２倍程度早くし、苗Ｐと苗Ｐの間隔を広げ検出を容易にするようにしてある。又、ベルト６０，６０′の間の下方位置で苗Ｐの葉部の通過する位置には光電スイツチＡ、光電スイツチＬ１、光電スイツチＬ２をその順に設け、ベルト６０，６０′の下方には苗選別ガイド（杆）６８を設けてある。苗選別ガイド６８はロータリソレノイドにより駆動せられる軸６９に固定される。」（３頁左下欄１９行〜４頁左上欄５行）、
（２-d）「上記構成において、不良苗Ｐが送られて来ると苗間隔を拡げて検出を容易にし、第６図を参照して、光電スイッチＡは葉を検出しないのでリレーＸ１は働かない。従ってＸ１(ｂ)は接続しているので光電スイッチＬ１(ａ)により苗が送られて来たことを検出するとリレーＸ２が働いてＸ２(ａ)が自己保持し、・・・電気はＸ２(ａ)の回路に流れるのでロータリソレノイドＳｏが働く。従って苗選別ガイドが落下する苗Ｐを不良苗箱４０方向に誘導する。」（４頁左上欄６〜１５行）、
（２-e）「本発明は・・・、苗分離ロールで１本１本に分けられた苗を選別コンベアーで苗間隔を広げ、葉部の検出を容易にし、不良苗のみを系外に排除し、良い苗のみ苗供給コンベアー上に集め苗植付機構に供給して移植するものである。」（４頁右上欄１〜５行）。
　
（３）無効理由で引用した特開昭６１−１９１０００号公報（以下、「引用文献３」という。）には、次の事項が記載されている。
（３-a）「（１２）プリント配線基板を表裏判別部に搬送する搬送部と、プリント配線基板の表裏いずれかに施された配線部の有無または配線部のパターンを検知手段を備える表裏判別部と、表裏判別部における判別信号に基づいてプリント配線基板を振り分ける振り分け手段を備える振り分け部とから成るプリント配線基板の表裏判別装置。
（１３）前記表裏判別部の検知手段は金属検知センサーまたはイメージセンサーから成る特許請求の範囲第１２項記載のプリント配線基板の表裏判別装置。」（特許請求の範囲第１２項及び第１３項）、
（３-b）「第１図において、１はプリント配線基板Ａの搬送部、２は搬送部１の供給台２０より供給されるとともに搬送ベルト２１により搬送されるプリント配線基板Ａの表裏判別部、３はこの表裏判別部２の判別信号に基づいてプリント配線基板Ａを、その表側のものと、裏側のものとを左右両側の搬送部３０，３１に振り分ける振り分け部、」（同公報３頁右下欄１５行〜４頁左上欄１行）、
（３-c）「８，９，１０，１１は振り分け部６，７にて振り分けられそれぞれの搬出部８１，８２，９１，９２を介して搬出されるプリント配線基板Ａを積め重ねる搬出用積載部を示すものである。
　また、前記搬送部１は、多数のプリント配線基板Ａを倒立状態にて積載する供給台２２と前記搬送ベルト２１と協働してプリント配線基板Ａを順次表裏判別部２に搬送するガイドローラ２３を備えている。」（４頁左上欄１３行〜同頁右上欄２行）、
（３-d）「８７は搬送ベルト８４の左右両側に立設されたガイドベルト８８，８９を駆動する駆動モーターを示すものである。」（同公報５頁左上欄６〜８行）、
（３-e）「搬送ベルト２１上側に供給されたプリント配線基板Ａはガイドローラー２３およびガイドベルト２２０，２３０を介してガイドされつつ表裏判別部２に搬送されるとともに光学センサー２６，２７による表裏判別部２に存在するプリント配線基板Ａの検知信号により、金属検知センサー２４，２５により、同プリント配線基板Ａの表裏に於る配線部を検知する。そして、金属検知センサー２４，２５の検知信号により、振り分け部３の案内部３８を操作部３９を介して操作せせめることにより、前記プリント配線基板Ａを搬送部３０，３１のいずれかに振り分ける。」（同公報５頁左下欄１９行〜右下欄１１行）、
（３-f）「前記において、搬送部３０，３１に振り分けられたプリント配線基板Ａは搬送ベルト８３，８４により、両側のガイドベルト３２，３３，３４，８８，８９にてガイドされつつ前後判別部４，５に搬送される」（同公報６頁左上欄１６〜２０行）。
　
（４）特開昭５８−９８００８号公報（以下、「参考文献１」という。）には、次の記載が認められる。
（４-a）「作業者により、供給コンベア１０の上面に列状に並べられた苗１７は、供給コンベア１０の終端に向つて移送され、押えローラー１１と供給コンベア１０の搬送終端上部とに挟持される。・・・
　押えローラー１１より出てきた苗１７は搬送コンベア・長１２の始端に突当ると、搬送コンベア・長１２の搬送速度は供給コンベア１０の搬送速度より通常１０〜２０倍の搬送速度を持つているので、苗１７は搬送コンベア・長１２に供給コンベア１０の終端部に押し付けられながら急速に搬送コンベア・短１３の始端部まで移送される。・・・搬送コンベア・長１２により、苗１７が分離移送される際、次に分離移送されるべき苗は押えローラー１１により充分狭持され、紙筒苗の糊のはがれが悪かつたり、葉がらみ、根がらみがあつても一本ずつに分離移送される事になる。」（２頁右下欄１０行〜３頁右上欄２行）、
（４-b）「上記搬送コンベア・長１２及び搬送コンベア・短１３の表面にはゴム状物質からなる無数の突起を設けてあり」（３頁右上欄１５行〜同頁左下欄２行）、
（４-c）「搬送コンベア・長１２と搬送コンベア・短１３の終端に移送された苗１７は、ゴム円盤７に受け渡され、ゴム円盤押え８により挟持されながら移送され、・・・開溝器９によつて圃場に切られた溝の中に垂直に置かれると同時に鎮圧輪６により土を寄せられ、苗のまわりに土が鎮圧されて圃場に定植される。」（３頁右下欄７〜１５行）。
苗供給コンベア１５の上に苗を併列させて供給された苗Ｐを１本１本に分離して一定間隔をおいて苗供給コンベア１５の端部より繰出すこと（上記（４-a）（４-b）参照）が記載されている。
　
（５）特開昭６１−１００１１１号公報（以下、「参考文献２」という。）には、次の記載が認められる。
（５-a）「作業者は、苗供給コンベア１８上に苗Ｐを倒置して連続的に並べるが、苗Ｐは互いに糊着されていても良いし個々に離れていても良い。」（５頁左下欄３〜５行）、
（５-b）「苗供給コンベア１８の終端に達した苗Ｐは苗押えスポンジ輪２４を通過した毎にまだ苗押えスポンジ輪２４を通過していない苗Ｐより苗送りベルト，長２６により分離され、適当な間隔を保つて苗送りベルト，長２６と苗送りベルト，短２７に挾持されて下方に移送される。」（５頁左下欄７〜１２行）、
（５-c）「苗送りベルト４８，４９に挟持移送されゴム円盤１４に受け渡されてゴム円盤１４は苗の上部を挾持移送して本圃に定植する。」（６頁左上欄５〜８行）。
　
５-3．対比・判断
５-3-1．請求項１の発明について
（１）引用文献１の発明との対比
　請求項１の発明と引用文献１の発明１とを対比する。
　引用文献１の発明１の「苗(ロ)」及び「開口(12)」は、請求項１の発明の「移植用苗」及び「苗受入装置」に対応する。引用文献１の発明１は、「ポケットホイール(６)(６)」、「ポケット(５)」及び「ガイド部(３)」で移植用苗を植え付けるものであり、これら「ポケットホイール(６)(６)」等が請求項１の発明の「苗植付装置」に対応している。
　また、本件発明の「一つの苗受入装置に受入させた複数本の密接状態の移植用苗の後続のものから分離して所定の間隔で運搬する移植用苗を、その運搬中に検知手段で検知して、左右交互に軸回動自在な振分け部体の該軸回動を制御し、この振分け部体の左右交互の軸回動により、上記所定の間隔で運搬する移植用苗を順次左右交互に連続的に振り分け、その振り分けられた移植用苗を二つの苗植付装置の各々の重合した一対のゴム製回転円板間に、該二つの苗植付装置において同時的に連続供給し」、及び、引用文献１の発明１の「一つの開口部(12)に受入れさせた苗(ロ)を、左、右に間欠的に移動させられている、移送体(14)の移送爪(13)により左、右のポケットホイール(６)(６)のポケット(５)に振り分けて供給し、」は、一つの苗受入装置に受入れた移植用苗を、振分け移送手段で左右交互に振り分けて二つの苗植付装置へ供給することといえる。
　そうすると、請求項１の発明と引用文献１の発明１とは、
　移植用苗を苗受入装置から苗植付装置に供給し、本圃に所定の間隔で連続的に植え付けていく苗自動移植方法であって、一つの苗受入装置に受入れた移植用苗を、振分け移送手段で左右交互に振り分けて二つの苗植付装置へ供給し、各苗植付装置に対応するそれぞれの畝溝に植え付ける苗自動移植方法で一致し、次の点で構成が相違する。
　相違点（Ａ）
　苗植付装置が、請求項１の発明では、重合した一対のゴム製回転円板で構成されているのに対し、引用文献１の発明１では、ポケットホイール(６)(６)等で構成されている点。
　相違点（Ｂ）
　一つの苗受入装置に受入れた移植用苗を、振分け移送手段で左右交互に振り分けて２つの苗植付装置へ供給する構成が、請求項１の発明では、「一つの苗受入装置に受入させた複数本の密接状態の移植用苗の後続のものから分離して所定の間隔で運搬する移植用苗を、その運搬中に検知手段で検知して、左右交互に軸回動自在な振分け部体の該軸回動を制御し、この振分け部体の左右交互の軸回動により、上記所定の間隔で運搬する移植用苗を順次左右交互に連続的に振り分け、その振り分けられた移植用苗を二つの苗植付装置の各々の重合した一対のゴム製回転円板間に、該二つの苗植付装置において同時的に連続供給」するのに対し、引用文献１の発明１では、作業者の手から或は適宜の装置でガイド(11)の開口部(12)に順次所定速度で送り込んだ移植用苗を移送体(14)により振り分けて供給する点。
　上記相違点について検討する。
　相違点（Ａ）について
　重合した一対のゴム製回転円板で構成した苗植付装置は周知であり（例えば、上記参考資料１及び２参照。）、引用文献１の発明１において、苗植付装置をこの周知な苗植付装置にすることは当業者が容易にできることである。
　相違点（Ｂ）について
　苗受入装置（苗供給コンベア）の上に密接状態の（併列させて供給された）移植用苗を１本１本に分離して一定間隔をおいて苗受入装置（苗供給コンベア）の端部より繰出す構成は周知である（例えば、引用文献２、参考資料１及び２参照。）。
　また、引用文献２には、移植機において、苗搬送コンベアー２０に受入れた複数本の併列状態の苗Ｐを、苗搬送コンベアー２０の端部より一定間隔をおいて繰り出し、選別ベルト６０，６０′によって所定の間隔で運搬する苗を光電スイッチＬ１(ａ)で検出して苗選別ガイド６８の軸６９をロータリソレノイドＳｏにより駆動し、不良苗Ｐを不良苗箱４０に誘導し、良い苗Ｐを貯留部４２に落下させ、貯留部４２の良い苗Ｐを供給コンベアー４３により苗植付機構に搬送することが記載されている。
　すなわち、引用文献２には、移植用苗（苗Ｐ）を良い苗と不良苗とを振り分けて植え付けるものであるが、苗自動移植方法において、一つの苗受入装置（苗搬送コンベアー２０）に受入させた複数本の密接（併列）状態の移植用苗の後続のものから分離し、選別ベルト６０，６０′によって所定の間隔で運搬する移植用苗（苗Ｐ）を、その運搬中に検知手段（光電スイッチＬ１(ａ)）で検知して、軸回動自在な振分け部体（苗選別ガイド６８）の該軸回動を制御し、この振分け部体の軸回動により、上記所定の間隔で運搬する移植用苗を、振分け部体の軸回動により不良苗箱４０と貯留部４２との２つの方向に誘導し（２つに振り分け）、貯留部４２にある良い移植用苗を苗供給コンベアー４３により苗植付装置（苗植付機構）に搬送することが記載されている。
　さらに、引用文献３には、１つの搬送装置（搬送部１）で搬送されてくる物品（プリント配線基板Ａ）を振り分け手段（振り分け部３）により振り分け、振り分けられた物品を搬送装置（搬送部３０、搬送ベルト８３）あるいは搬送装置（搬送部３１、搬送ベルト８４）より所定の位置まで搬送することが、開示されている。
　ところで、引用文献１の発明１は、移植用苗がどのようなものか明らかではないが、密接状態の移植用苗は例示するまでもなく周知であり、引用文献１の発明１の苗自動移植方法において、密接状態の移植用苗を用いて植え付け作業を行う場合は、作業者が、密接状態の移植用苗を１本１本の苗に分離し、また、作業者が、移送体(14)の移送爪(13)が開口部(12)に位置しているときに合わせて、分離した移植用苗を開口部(12)に送り込むことは明らかである。
　そして、作業者が行う作業を機械化しようとすることは当業者が当然考えることであり、引用文献１の発明１において、作業者が行っている作業（密接状態の移植用苗を１本１本の苗に分離すること、移送体(14)の位置に合わせて移植用苗を開口部(12)に送り込むこと）を機械化するため、引用文献２に記載された構成、周知技術を適用しようとすることは当業者なら容易に想到できることである。
　そうすると、引用文献１の発明１において、一つの苗受入装置に受入させた複数本の密接状態の移植用苗の後続のものから分離し、選別ベルト（搬送ベルト）によって所定の間隔で運搬する移植用苗を、その運搬中に検知手段で検知して、左右交互に軸回動自在な振分け部体の該軸回動を制御し、この振分け部体の左右交互の軸回動により、上記所定の間隔で運搬する移植用苗を順次左右交互に振り分け、その振り分けられた移植用苗を２つの苗植付装置に苗供給コンベアーによって供給するようにし、上記相違点（Ｂ）における請求項１の発明のように構成することは当業者が容易に想到できることである。
　なお、請求項１の発明は、「所定の間隔で運搬する移植用苗を順次左右交互に連続的に振り分け」、「二つの苗植付装置において同時的に連続供給」するものであるが、請求項１の発明は、左右の苗植付装置に移植用苗を同時に供給するものではなく、請求項１の発明と引用文献１の発明１とは、所定間隔で送られてくる移植用苗を順次左右交互に振り分けて左右の苗植付装置に供給するという点では同じであり、作用において相違するとはいえない。
　しかも、引用文献１の発明１に引用文献２記載の発明及び周知技術を適用し、当業者が容易に発明したものが請求項１の発明の効果を奏することは明らかである。
　したがって、請求項１の発明は、引用文献１及び２に記載された発明並びに周知技術に基づいて当業者が容易に発明をすることができたものである。
　
５-3-2．請求項２の発明について
　請求項２の発明は、請求項１の発明における「その運搬中に」を「その苗受入装置から左右交互に軸回動自在な振分け部体に向かう運搬中に」と限定するものである。
　そこで、請求項２の発明と引用文献１の発明とを対比すると、両者は、
　移植用苗を苗受入装置から苗植付装置に供給し、本圃に所定の間隔で連続的に植え付けていく苗自動移植方法であって、一つの苗受入装置に受入れた移植用苗を、振分け移送装置で左右交互に振り分けて二つの苗植付装置へ供給し、各苗植付装置に対応するそれぞれの畝溝に植え付ける苗自動移植方法で一致し、次の点で構成が相違する。
　相違点（Ａ）
　苗植付装置が、請求項２の発明では、重合した一対のゴム製回転円板で構成されているのに対し、引用文献１の発明１では、ポケットホイール(６)(６)等で構成されている点。
　相違点（Ｃ）
　一つの苗受入装置に受入れた移植用苗を、振分け移送手段で左右交互に振り分けて２つの苗植付装置へ供給する構成が、請求項２の発明では、「一つの苗受入装置に受入させた複数本の密接状態の移植用苗の後続のものから分離して所定の間隔で運搬する移植用苗を、その
苗受入装置から左右交互に軸回動自在な振分け部体に向かう
　上記相違点について検討する。
　相違点（Ａ）については、上記「５-3-1．請求項１の発明について」に記載したとおりである。
　相違点（Ｃ）について
　上記「５-3-1．請求項１の発明について」の「相違点（Ｂ）について」は、「引用文献１の発明１において、・・・選別ベルト（搬送ベルト）によって所定の間隔で運搬する移植用苗を、その運搬中に検知手段で検知して、左右交互に軸回動自在な振分け部体の該軸回動を制御し、・・・移植用苗を順次左右交互に振り分け、その振り分けられた移植用苗を２つの苗植付装置に苗供給コンベアーによって供給するように・・・構成することは当業者が容易に想到できることである。」と、請求項２の発明の「その苗受入装置から左右交互に軸回動自在な振分け部体に向かう運搬中に検知手段で検知」することについては、上記「相違点（Ｂ）について」において実質的に検討している。
　したがって、上記相違点（Ｃ）は、「５-3-1．請求項１の発明について」の「相違点（Ｂ）について」に記載した理由により当業者が容易に想到することができたことである。
　そして、請求項２の発明が奏する効果は、引用文献１及び２に記載された発明並びに周知技術から当業者が予測できることであって格別顕著なものではない。
　したがって、請求項２の発明は、引用文献１及び２に記載された発明並びに周知技術に基づいて当業者が容易に発明をすることができたものである。
　
５-3-3．請求項３の発明について
　請求項３の発明は、請求項１の発明における「苗受入装置から苗植付装置」を「苗受入装置から苗転送装置を介して苗植付装置」と、「その運搬中に」を「一つの苗転送装置で運搬中に」と限定するものである。
　そこで、請求項３の発明と引用文献１の発明とを対比すと両者は、
　移植用苗を苗受入装置から苗植付装置に供給し、本圃に所定の間隔で連続的に植え付けていく苗自動移植方法であって、一つの苗受入装置に受入れた移植用苗を、振分け移送装置で左右交互に振り分けて二つの苗植付装置へ供給し、各苗植付装置に対応するそれぞれの畝溝に植え付ける苗自動移植方法で一致し、次の点で構成が相違する。
　相違点（Ｄ）
　移植用苗を苗受入装置から苗植付装置に供給するのに、請求項３の発明では、「苗転送装置を介して」いるのに対し、引用文献１の発明では、移送体(14)を介している点。
　相違点（Ａ）
　苗植付装置が、請求項３の発明では、重合した一対のゴム製回転円板で構成されているのに対し、引用文献１の発明では、ポケットホイール(６)(６)等で構成されている点。
　相違点（Ｅ）
　１個所に受入れた移植用苗を、振分け移送装置で左右交互に振り分けて２つの苗植付装置へ供給する構成が、請求項３の発明では、「一つの苗受入装置に受入させた複数本の密接状態の移植用苗の後続のものから分離して所定の間隔で運搬する移植用苗を、
一つの苗転送装置で
　上記相違点について検討する。
　相違点（Ａ）については、上記「５-3-1．請求項１の発明について」に記載したとおりである。
　相違点（Ｄ）及び（Ｅ）について
　上記「５-3-1．請求項１の発明について」の「相違点（Ｂ）について」は、「引用文献１の発明１において、・・・選別ベルト（搬送ベルト）によって所定の間隔で運搬する移植用苗を、その運搬中に検知手段で検知して、・・・上記所定の間隔で運搬する移植用苗を順次左右交互に振り分け、その振り分けられた移植用苗を２つの苗植付装置に苗供給コンベアーによって供給する・・・ように構成することは当業者が容易に想到できることである。」と、請求項３の発明の「一つの苗転送装置」に対応する「選別ベルト（搬送ベルト）」に言及し、請求項３の発明の「移植用苗を苗受入装置から苗転送装置を介して・・・供給」すること及び「一つの苗転送装置で運搬中に検知手段で検知」することについは、上記「相違点（Ｂ）について」において実質的に検討している。
　したがって、上記相違点（Ｄ）及び（Ｅ）は、「５-3-1．請求項１の発明について」の「相違点（Ｂ）について」に記載した理由により当業者が容易に想到することができたことである。
　そして、請求項３の発明が奏する効果は、引用文献１及び２に記載された発明及び周知技術から当業者が予測できることであって格別顕著なものではない。
　したがって、請求項３の発明は、引用文献１及び２に記載された発明並びに周知技術に基づいて当業者が容易に発明をすることができたものである。
　
５-3-4．請求項４の発明について
　請求項４の発明は、請求項１の発明における「苗受入装置から苗植付装置」を「苗受入装置から苗転送装置を介して苗植付装置」と、「その運搬中に」を「一つの苗転送装置において左右交互に軸回動自在な振分け部体に向かう運搬中に」と限定するものである。
　そこで、請求項４の発明と引用文献１の発明１とを対比すと両者は、
　移植用苗を苗受入装置から苗植付装置に供給し、本圃に所定の間隔で連続的に植え付けていく苗自動移植方法であって、一つの苗受入装置に受入れた移植用苗を、振分け移送装置で左右交互に振り分けて二つの苗植付装置へ供給し、各苗植付装置に対応するそれぞれの畝溝に植え付ける苗自動移植方法で一致し、次の点で構成が相違する。
　相違点（Ｄ）
　移植用苗を苗受入装置から苗植付装置に供給するのに、「苗転送装置を介して」いるのに対し、引用文献１の発明では、ポケットホイール(６)(６)等で構成されている点。
　相違点（Ａ）
　苗植付装置が、請求項３の発明では、重合した一対のゴム製回転円板で構成されているのに対し、引用文献１の発明では、ポケットホイール(６)(６)等で構成されている点。
　相違点（Ｆ）
　１個所に受入れた移植用苗を、振分け移送装置で左右交互に振り分けて２つの苗植付装置へ供給する構成が、請求項４の発明では、「一つの苗受入装置に受入させた複数本の密接状態の移植用苗の後続のものから分離して所定の間隔で運搬する移植用苗を、
一つの苗転送装置において左右交互に軸回動自在な振分け部体に向かう
　上記相違点について検討する。
　相違点（Ａ）については、上記「５-3-1．請求項１の発明について」に記載したとおりである。
　相違点（Ｄ）及び（Ｆ）について
　上記「５-3-1．請求項１の発明について」の「相違点（Ｂ）について」は、「引用文献１の発明１において、・・・選別ベルト（搬送ベルト）によって所定の間隔で運搬する移植用苗を、その運搬中に検知手段で検知して、・・・上記所定の間隔で運搬する移植用苗を順次左右交互に振り分け、その振り分けられた移植用苗を２つの苗植付装置に苗供給コンベアーによって供給する・・・ように構成することは当業者が容易に想到できることである。」と、請求項４の発明の「移植用苗を苗受入装置から苗転送装置を介して・・・供給」すること及び「一つの苗転送装置において左右交互に軸回動自在な振分け部体に向かう運搬中に検知手段で検知」することについは、上記「相違点（Ｂ）について」において実質的に検討している。
　したがって、上記相違点（Ｄ）及び（Ｆ）は、「５-3-1．請求項１の発明について」の「相違点（Ｂ）について」に記載した理由により当業者が容易に想到することができたことである。
　そして、請求項４の発明が奏する効果は、引用文献１及び２に記載された発明並びに周知技術から当業者が予測できることであって格別顕著なものではない。
　したがって、請求項４の発明は、引用文献１及び２に記載された発明並びに周知技術に基づいて当業者が容易に発明をすることができたものである。
　
５-3-5．請求項５の発明について
　請求項５の発明と引用文献１の発明２とを対比する。
　引用文献１の発明２の「ポケットホイール(６)(６)」、「苗移植機」及び「開口(12)」は、請求項１の発明の「苗植付装置」、「苗自動移植機」及び「苗受入装置」に対応する。
　また、本件発明の「一つの苗受入装置と二つの苗植付装置との間に、前者すなわち上記一つの苗受入装置に受入させた複数本の密接状態の移植用苗の後続のものから分離して所定の間隔で送出した移植用苗を、左右交互に連続的に振り分け、後者すなわち上記二つの苗植付装置の各々の重合した一対のゴム製回転円板間に向けて、該二つの苗植付装置において同時的に連続供給する左右交互に軸回動自在な振分け部体を設置し」、及び、引用文献１の発明２の「左、右のポケットホイール(６)(６)のポケット(５)に苗を移送するに適した上下間隙が保てる上下枠によるガイド(11)を設け、その路中央部に開口部(12)を設け、この開口部(12)とポケット(５)の間をガイド(11)中に移送爪(13)を設けた移送体(14)を設置して間欠的に左右交互に運動させ、一つの開口部(12)に受入れさせた苗(ロ)を左、右のポケットホイール(６)(６)のポケット(５)に振り分けて供給する」とは、「一つの苗受入装置と二つの苗植付装置との間に、移植用苗を、左右交互に振り分け上記二つの苗植付装置の各々に向けて供給する振分け移送装置を設置し」ているといえる。
　そうすると、請求項５の発明と引用文献１の発明２とは、
　苗植付装置と苗受入装置とを具備した苗自動移植機であって、一つの苗受入装置に二つの苗植付装置を対応設置するとともに、これら一つの苗受入装置と二つの苗植付装置との間に、移植用苗を、左右交互に振り分け、上記二つの苗植付装置の各々に向けて供給する振分け移送装置を設置した苗自動移植機で一致し、次の点で構成が相違する。
　相違点（イ）
　苗植付装置が、請求項５の発明では、「重合した一対のゴム製回転円板を備え」ているのに対し、引用文献１の発明２では、ポケットホイール(６)(６)等を備えている点。
　相違点（ロ）
　振分け移送装置が、請求項５の発明では、「一つの苗受入装置に受入させた複数本の密接状態の移植用苗の後続のものから分離して所定の間隔で送出した移植用苗を、左右交互に連続的に振り分け、後者すなわち上記二つの苗植付装置の各々の重合した一対のゴム製回転円板間に向けて、該二つの苗植付装置において同時的に連続供給する左右交互に軸回動自在な振分け部体を設置し、かつ、上記運搬中の移植用苗を検知しかつその検知に基づき上記振分け部体の左右交互の軸回動を制御する検知手段を設けてなる」のに対し、引用文献１の発明２では、作業者の手から或は適宜の装置でガイド(11)の開口部(12)に順次所定速度で送り込んだ移植用苗を移送体(14)により振り分けて供給している点。
　上記相違点について検討する。
　相違点（イ）について
　重合した一対のゴム製回転円板を備えた苗植付装置は周知であり（例えば、上記参考資料１及び２参照。）、引用文献１の発明２の苗植付装置（ポケットホイール(６)(６)）をこの周知な苗植付装置にすることは当業者が容易にできることである。
　相違点（ロ）について
　苗供給コンベア（苗受入装置）の上に併列させて供給された（密接状態の）移植用苗を１本１本に分離して一定間隔をおいて苗供給コンベア（苗受入装置）の端部より繰出す構成は周知である（例えば、引用文献２、参考資料１及び２参照。）。
　また、引用文献２には、移植機において、苗搬送コンベアー２０に受入れた複数本の併列状態の苗Ｐを、苗搬送コンベアー２０の端部より一定間隔をおいて繰り出し、選別ベルト６０，６０′によって所定の間隔で運搬する苗を光電スイッチＬ１(ａ)で検出して苗選別ガイド６８の軸６９をロータリソレノイドＳｏにより駆動させ、不良苗Ｐを不良苗箱４０に誘導し、良い苗Ｐを貯留部４２に落下させ、貯留部４２の良い苗Ｐを供給コンベアー４３により苗植付機構に搬送することが記載されている。
　すなわち、引用文献２には、移植用苗（苗Ｐ）を良い苗と不良苗とを振り分けて植え付けるものであるが、苗自動移植機（移植機）において、一つの苗受入装置（苗搬送コンベアー２０）と苗植付装置（苗植付機構）との間に、一つの苗受入装置（苗搬送コンベアー２０）に受入させた複数本の密接（併列）状態の移植用苗の後続のものから分離し、選別ベルト６０，６０′によって所定の間隔で運搬する移植用苗（苗Ｐ）を、その運搬中に検知手段（光電スイッチＬ１(ａ)）で検知して、軸回動自在な振分け部体（苗選別ガイド６８）の該軸回動を制御し、この振分け部体の軸回動により、上記所定の間隔で運搬する移植用苗を、振分け部体の軸回動により不良苗箱４０と貯留部４２との２つの方向に誘導し（２つに振り分け）、貯留部４２にある良い移植用苗を苗植付装置（苗植付機構）に搬送する苗供給コンベアー４３を設けた構成が記載されている。
　さらに、引用文献３には、１つの搬送装置（搬送部１）で搬送されてくる物品（プリント配線基板Ａ）を振り分け手段（振り分け部３）により振り分け、振り分けられた物品を搬送装置（搬送部３０、搬送ベルト８３）あるいは搬送装置（搬送部３１、搬送ベルト８４）より所定の位置まで搬送することが、開示されている。
　ところで、引用文献１の発明２は、移植用苗がどのようなものか明らかではないが、密接状態の移植用苗は例示するまでもなく周知であり、引用文献１の発明２の苗自動移植機において、密接状態の移植用苗を用いて植え付け作業を行う場合は、作業者が、密接状態の移植用苗を１本１本の苗に分離し、また、作業者が、移送体(14)の移送爪(13)が開口部(12)に位置しているときに合わせて、分離した移植用苗を開口部(12)に送り込むことは明らかである。
　そして、作業者が行う作業を機械化しようとすることは当業者が当然考えることであり、引用文献１の発明２において、作業者が行っている作業（密接状態の移植用苗を１本１本の苗に分離すること、移送体(14)の位置に合わせて移植用苗を開口部(12)に送り込むこと）を機械化するため、引用文献２に記載された構成、周知技術を適用しようとすることは当業者なら容易に想到できることある。
　そうすると、引用文献１の発明２において、一つの苗受入装置と二つの苗植付装置との間に設置されている振分け移送装置に引用文献２記載の構成を適用し、振分け移送装置を、一つの苗受入装置に受入させた複数本の密接状態の移植用苗の後続のものから分離して所定の間隔で送出した移植用苗を、左右交互に連続的に振り分け、二つの苗植付装置に供給する左右交互に軸回動自在な振分け部体と、苗植付装置に移植用苗を搬送する苗供給コンベアーと、運搬中の移植用苗を検知しかつその検知に基づき上記振分け部体の左右交互の軸回動を制御する検知手段とで構成し、上記相違点（ロ）における請求項５の発明のように構成することは当業者が容易に想到することができたものである。
　なお、請求項５の発明は、「振り分け部体」は、「所定の間隔で送出した移植用苗を、左右交互に
連続的に
同時的に
　しかしながら、請求項５の発明の「振り分け部体」は、所定の間隔で送出した移植用苗を、振分け部体の左右交互の軸回動により、順次左右交互に振り分けているのに、引用文献１の発明２の「移送体(14)」は、間欠的に左右交互に運動することにより、開口部(12)に順次所定速度（所定間隔）で送り込んだ移植用苗をして左右交互に振り分けており、所定間隔で送られてくる移植用苗を左右交互に振り分けるという点では同じであり、請求項５の発明の「振り分け部体」と引用文献１の発明２の「移送体(14)」の作用に差異があるわけではない。
　しかも、引用文献１の発明２に引用文献２記載の発明及び周知技術を適用し、当業者が容易に発明したものが請求項５の発明の効果を奏することは明らかである。
　したがって、請求項５の発明は、引用文献１及び２に記載された発明並びに周知技術に基づいて当業者が容易に発明をすることができたものである。
　
５-3-6．請求項６の発明について
　請求項６の発明は、請求項５の発明における「苗植付装置苗と受入装置とを具備した」を「苗植付装置と苗受入装置及び苗転送装置を具備した」と、「振分け部体を設置し」を「振分け部体を内装した一つの苗転送装置」と限定するものである。
　そこで、請求項６の発明と引用文献１の発明２とを対比すると、両者は、
　苗植付装置と苗受入装置とを具備した苗自動移植機であって、
一つの苗受入装置に二つの苗植付装置を対応設置するとともに、これら一つの苗受入装置と二つの苗植付装置との間に、移植用苗を、左右交互に振り分け、上記二つの苗植付装置の各々に向けて供給する振分け移送装置を設置した苗自動移植機で一致し、次の点で構成が相違する。
　相違点（ハ）
　苗自動移植機が、請求項６の発明では、「苗転送装置」を具備しているのに対し、引用文献１の発明２では、開口部(12)とポケット(５)の間をガイド(11)中に移送爪(13)を設けた移送体(14)を設置している点。
　相違点（イ）
　苗植付装置が、請求項６の発明では、「重合した一対のゴム製回転円板を備え」ているのに対し、引用文献１の発明２では、ポケットホイール(６)(６)等を備えている点。
　相違点（ニ）
　振分け移送装置が、請求項６の発明では、「一つの苗受入装置に受入させた複数本の密接状態の移植用苗の後続のものから分離して所定の間隔で送出した移植用苗を、左右交互に連続的に振り分け、後者すなわち上記二つの苗植付装置の各々の重合した一対のゴム製回転円板間に向けて、該二つの苗植付装置において同時的に連続供給する左右交互に軸回動自在な振分け部体を
内装した一つの苗転送装置を
　上記相違点について検討する。
　相違点（イ）については、上記「５-3-5．請求項５の発明について」に記載したとおりである。
　相違点（ハ）及び（ニ）について
　上記「５-3-5．請求項５の発明について」の「相違点（ロ）について」は、「引用文献１の発明２において、・・・振分け移送装置を、・・・所定の間隔で送出した移植用苗を、左右交互に連続的に振り分け、二つの苗植付装置に供給する左右交互に軸回動自在な振分け部体と、苗植付装置に移植用苗を搬送する苗供給コンベアーと、運搬中の移植用苗を検知しかつその検知に基づき上記振分け部体の左右交互の軸回動を制御する検知手段とで構成・・・することは当業者が容易に想到することができたものである。」と、請求項６の発明の「苗転送装置」に対応する「振分け部体」と「苗供給コンベアー」について言及し、請求項６の発明における、苗自動移植機が「苗転送装置」を具備していること、及び、「振分け部体を内装した一つの苗転送装置を設置し」ていることについは、上記「相違点（ロ）について」において実質的に検討している。
　したがって、上記相違点（ハ）及び（ニ）は、「５-3-5．請求項５の発明について」の「相違点（ロ）について」に記載した理由により当業者が容易に想到することができたことである。
　そして、請求項６の発明が奏する効果は、引用文献１及び２に記載された発明並びに周知技術から当業者が予測できることであって格別顕著なものではない。
　したがって、請求項６の発明は、引用文献１及び２に記載された発明並びに周知技術に基づいて当業者が容易に発明をすることができたものである。
　
５-3-7．請求項７の発明について
　請求項７の発明と引用文献１の発明２とを対比すると、両者は、
　苗植付装置と苗受入装置とを具備した苗自動移植機であって、一つの苗受入装置に二つの苗植付装置を対応設置するとともに、これら一つの苗受入装置と二つの苗植付装置との間に、移植用苗を、左右交互に振り分け、上記二つの苗植付装置の各々に向けて供給する振分け移送装置を設置した苗自動移植機で一致し、次の点で構成が相違する。
　相違点（ハ）
　苗自動移植機が、請求項７の発明では、「苗転送装置」を具備しているのに対し、引用文献１の発明２では、開口部(12)とポケット(５)の間をガイド(11)中に移送爪(13)を設けた移送体(14)を設置している点。
　相違点（イ）
　苗植付装置が、請求項７の発明では、「重合した一対のゴム製回転円板を備え」ているのに対し、引用文献１の発明２では、ポケットホイール(６)(６)等を備えている点。
　相違点（ホ）
　振分け移送装置が、請求項７の発明では、「一つの苗受入装置に受入させた複数本の密接状態の移植用苗の後続のものから分離して所定の間隔で運搬する移植用苗を、左右交互の軸回動により左右交互に連続的に振り分ける振分け部体を有する振分け転送機構部、その振り分けられた移植用苗を分岐誘導する二つの分岐転送機構部、及びその分岐誘導された移植用苗を上記二つの苗植付装置の各々の重合した一対のゴム製回転円板間に向けて、該二つの苗植付装置において同時的に連続供給する二つの供給転送機構部とからなる一つの苗転送装置を設置し、かつ、運搬中の移植用苗を検知しかつその検知に基づき上記振分け部体の左右交互の軸回動を制御する検知手段を設けてなる」のに対し、引用文献１の発明２では、作業者の手から或は適宜の装置でガイド(11)の開口部(12)に順次所定速度で送り込んだ移植用苗を移送体(14)により振り分けて供給している点。
　上記相違点について検討する。
　相違点（イ）については、上記「５-3-5．請求項５の発明について」に記載したとおりである。
　相違点（ハ）及び（ホ）について
　苗供給コンベア（苗受入装置）の上に併列させて供給された（密接状態の）移植用苗を１本１本に分離して一定間隔をおいて苗供給コンベア（苗受入装置）の端部より繰出す構成は周知である（例えば、引用文献２、参考資料１及び２参照。）。
　また、引用文献２には、移植機において、苗搬送コンベアー２０に受入れた複数本の併列状態の苗Ｐを、苗搬送コンベアー２０の端部より一定間隔をおいて繰り出し、選別ベルト６０，６０′によって所定の間隔で運搬する苗を光電スイッチＬ１(ａ)で検出して苗選別ガイド６８の軸６９をロータリソレノイドＳｏにより駆動させ、不良苗Ｐを不良苗箱４０に誘導し、良い苗Ｐを貯留部４２に落下させ、貯留部４２の良い苗Ｐを供給コンベアー４３により苗植付機構に搬送することが記載されている。
　すなわち、引用文献２には、移植用苗（苗Ｐ）を良い苗と不良苗とを振り分けて植え付けるものであるが、苗自動移植機（移植機）において、一つの苗受入装置（苗搬送コンベアー２０）と苗植付装置（苗植付機構）との間に、一つの苗受入装置（苗搬送コンベアー２０）に受入させた複数本の密接（併列）状態の移植用苗の後続のものから分離し、選別ベルト６０，６０′によって所定の間隔で運搬する移植用苗（苗Ｐ）を、その運搬中に検知手段（光電スイッチＬ１(ａ)）で検知して、軸回動自在な振分け部体（苗選別ガイド６８）の該軸回動を制御し、この振分け部体の軸回動により、上記所定の間隔で運搬する移植用苗を、振分け部体の軸回動により不良苗箱４０と貯留部４２との２つの方向に誘導し（２つに振り分け）、貯留部４２にある良い移植用苗を苗植付装置（苗植付機構）に搬送する苗供給コンベアー４３を設けた構成が記載されている。
　さらに、引用文献３には、１つの搬送装置（搬送部１）で搬送されてくる物品（プリント配線基板Ａ）を振り分け手段（振り分け部３）により振り分け、振り分けられた物品を搬送装置（搬送部３０、搬送ベルト８３）あるいは搬送装置（搬送部３１、搬送ベルト８４）より所定の位置まで搬送することが、開示されている。
　ところで、引用文献１の発明２は、移植用苗がどのようなものか明らかではないが、密接状態の移植用苗は例示するまでもなく周知であり、引用文献１の発明２の苗自動移植機において、密接状態の移植用苗を用いて植え付け作業を行う場合は、作業者が、密接状態の移植用苗を１本１本の苗に分離し、また、作業者が、移送体(14)の移送爪(13)が開口部(12)に位置しているときに合わせて、分離した移植用苗を開口部(12)に送り込むことは明らかである。
　そして、作業者が行う作業を機械化しようとすることは当業者が当然考えることであり、引用文献１の発明２において、作業者が行っている作業（密接状態の移植用苗を１本１本の苗に分離すること、移送体(14)の位置に合わせて移植用苗を開口部(12)に送り込むこと）を機械化するため、引用文献２に記載された構成、周知技術を適用しようとすることは当業者なら容易に想到できることである。
　そうすると、引用文献１の発明２において、一つの苗受入装置と二つの苗植付装置との間に設置されている振分け移送装置に引用文献２記載の構成を適用し、振分け移送装置を、一つの苗受入装置に受入させた複数本の密接状態の移植用苗の後続のものから分離して所定の間隔で送出した移植用苗を、左右交互に連続的に振り分け、二つの苗植付装置に供給する左右交互に軸回動自在な振分け部体と、苗植付装置に移植用苗を搬送する苗供給コンベアーと、運搬中の移植用苗を検知しかつその検知に基づき上記振分け部体の左右交互の軸回動を制御する検知手段とで構成し、その際、苗植付装置に移植用苗を搬送する苗供給コンベアーを、複数のコンベアによって搬送するように構成し、上記相違点（ホ）における請求項７の発明のように構成することは当業者が容易に想到することができることである。
　そして、請求項７の発明が奏する効果は、引用文献１及び２に記載された発明並びに周知技術から当業者が予測できることであって格別顕著なものではない。
　したがって、請求項７の発明は、引用文献１及び２に記載された発明並びに周知技術に基づいて当業者が容易に発明をすることができたものである。
　
５-3-8．請求項８の発明について
　請求項８の発明は、請求項５，６または７の発明に、「苗受入装置から左右交互の軸回動自在な振分け部体に向かって運搬中の移植用苗を検知しかつその検知に基づき上記振分け部体の左右交互の軸回動を制御する検知手段を備えてなる」構成要件を付加するものである。
　しかしながら、請求項５，６または７の発明は、「運搬中の移植用苗を検知しかつその検知に基づき上記振分け部体の左右交互の軸回動を制御する検知手段を設けてなる」の構成要件を備えており、前記「運搬中」が苗受入装置から振分け部体に向かって運搬中であることは明らかであるから、上記請求項８の発明において付加された上記構成は請求項５，６または７の発明も備えているといえるので、請求項８の発明における上記構成は、上記「５-3-5．請求項５に係る発明について」ないし「５-3-7．請求項７に係る発明について」において実質的に検討している。
　したがって、本件請求項８の発明は、上記「５-3-5．請求項５に係る発明について」ないし「５-3-7．請求項７に係る発明について」に記載された理由により引用文献１及び２に記載された発明並びに周知技術に基づいて当業者が容易に発明をすることができたものである。
　
５-3-9．請求項９の発明について
　請求項９の発明は、請求項６，７または８の発明に、「苗転送装置の移植用苗運搬路が、突起付きのベルトを対向させてなる苗挟持運搬路である」構成要件を付加して限定するものである。
　請求項９の発明と引用発明とを対比すると、上記「５-3-6．請求項６に係る発明について」ないし「５-3-8．請求項８に係る発明について」に記載された相違点に加え、
　相違点（ヘ）
　苗挟持運搬路が、請求項９の発明では、「苗転送装置の移植用苗運搬路が、突起付きのベルトを対向させてなる苗挟持運搬路である」のに対し、引用発明では、突起付きのベルトを対向させてなる苗転送装置を備えていない点、で構成が相違する。
　しかしながら、突起付きのベルトを対向させてなることは周知である（例えば、上記参考文献１、２参照。）から、本件請求項９の発明は、上記「５-3-5．請求項５に係る発明について」ないし「５-3-7．請求項５に係る発明について」に記載された理由により引用文献１及び２に記載された発明並びに周知技術に基づいて当業者が容易に発明をすることができたものである。
　
５-4．結び
　以上のとおり、本件の請求項１ないし９に係る発明は、引用文献１及び２に記載された発明並びに周知技術に基づいて当業者が容易に発明をすることができたものであるから、その特許は、特許法第２９条第２項に違反してされたものであり、同法第１２３条第２項第２号の規定により無効とされるべきものである。